(57)【要約】【目的】前後が重なり合った状態で搬送される被搬送物を所定数ずつ好適に区分することのできる搬送装置の提供。【構成】搬送方向に並んで部分的に重なり合った状態の重合列とされる偏平な被搬送物を搬送するための搬送手段と、被搬送物の重合列に間隙を生じさせるための区分手段とを備えた搬送装置である。搬送手段は、コンベヤ１Ａ，１Ｂから成り、上流側のコンベヤ１Ａ上には計数センサ２６が配置される。区分手段は、上部押圧具３１と下部押圧具３２とから成る挟持具３０を備える。挟持具３０は、計数センサ２６より下流側に待機され、計数センサ２６の検出信号に基づく計数値が所定数に達した段階でコンベヤ１Ａ上における被搬送物の部位を挟持してコンベヤ１Ｂ側に移動する。そして、挟持具３０で挟持された被搬送物がコンベヤ１Ｂ上に達したとき、コンベヤ１Ａよりコンベヤ１Ｂの走行速度が高くされる。【選択図】  図１
2006306572.tif 000002
【特許請求の範囲】
【請求項１】
搬送方向に並んで部分的に重なり合った状態の重合列とされる偏平な被搬送物を搬送するための搬送手段と、被搬送物の重合列に間隙を生じさせるための区分手段とを備えた搬送装置において、
前記搬送手段は、被搬送物の搬送経路を形成する第１コンベヤと、該第１コンベヤから被搬送物を乗り移らせるための第２コンベヤとを有して成り、
前記第１コンベヤ上には被搬送物の通過数を検出するための計数センサが配置され、
前記区分手段は、前記計数センサの配置部分より下流側に待機されて前記計数センサの検出信号に基づく計数値が所定数に達した段階で第１コンベヤ上における被搬送物の部位を挟持して第２コンベヤ側に移動する挟持具を含み、その挟持具は上下方向に対向配置される上部押圧具と下部押圧具とで構成され、
前記挟持具により挟持された被搬送物が第２コンベヤ上に達したとき、挟持具の移動速度と第２コンベヤの走行速度を同調させた状態で、第１コンベヤより第２コンベヤの走行速度が高くなるよう両者の走行速度を相違させる一方、前記挟持具から被搬送物が解放された後で搬送手段を通常運転モードに切り換えて第１コンベヤと第２コンベヤの走行速度を同調させるコンベヤ速度変更手段を備えることを特徴とする搬送装置。
【請求項２】
通常運転モードにおける第１コンベヤと第２コンベヤの走行速度に応じて、挟持具の待機位置を調整する待機位置調整手段を備えることを特徴とする請求項１記載の搬送装置。
【請求項３】
上部押圧具に被搬送物の上面に吸着せしめるための昇降自在な吸着部を設けると共に、挟持具による被搬送物の解放動作に同期して行われる前記吸着部の上昇動作により第２コンベヤ上に浮上される被搬送物を引き取ってこれを所定箇所に搬出する取出コンベヤを前記第２コンベヤ上に配して構成されるサンプリング手段を備えることを特徴とする請求項１記載の搬送装置。
【発明の詳細な説明】
【技術分野】
【０００１】
本発明は、前後が重なり合った状態で搬送される被搬送物の列（重合列）に間隙を生じさせ、これによって搬送中の被搬送物を所定数ずつのブロックに区分できるようにした搬送装置に係わり、詳しくは輪転機から送り出される刷本をスタッカバンドラで所定部数のスタックとして結束する工程に好適に用いられ、刷本をスタッカバンドラまで搬送する間にこれを所定部数ずつに区分することのできる搬送装置に関する。
【背景技術】
【０００２】
従来、その種の装置として、コンベヤ上の被搬送物を長尺な板材で上から押さえ付けて一時的にせき止めるという方式が知られる。これによれば、先行する被搬送物と板材で押さえ付けた後続の被搬送物とに間隙を生じせしめて被搬送物を所定数ずつのブロック（例えば１００部の集合体）にして、ブロック単位で積層、結束といった処理を行うことができるものの、被搬送物をコンベヤ上で押さえ付けることには、その上流側で被搬送物が下流側の被搬送物上に順次乗り上がり、これによって部分的に重なり合った被搬送物のピッチが詰まり、所謂「団子状態」を惹起するために、被搬送物の搬送先であるスタッカバンドラの入口部分に団子状態の被搬送物が詰まるなど後工程に支障を来してしまう。
【０００３】
そこで、コンベヤ上に押さえ付けた被搬送物（刷本）を、押圧ローラにより搬送方向とは逆向きに押圧するという装置が提案されている（例えば、特許文献１)。
【０００４】
又、被搬送物をコンベヤ上に押し付けた状態では、コンベヤが駆動されたままなので、被搬送物が新聞や雑誌といった書物の場合には、コンベヤによる下面の擦過により紙が破れたり印刷インクが乱れるという問題を発生するので、これを防止するために、コンベヤラインの中途にその上面より突出する遊動ローラを設け、被搬送物がその遊動ローラを乗り越えて搬送されるようにすると共に、被搬送物の押さえ付けを遊動ローラ上で行うようにした装置が提案されている（例えば、特許文献２)。
【０００５】
【特許文献１】実公平８−５１７９号公報
【０００６】
【特許文献２】特開平７−１０１６１６号公報
【発明の開示】
【発明が解決しようとする課題】
【０００７】
然し乍ら、特許文献１によれば、押圧ローラによって被搬送物が団子状態になる現象（逆オーバーラップ）を回避できるとするものの、被搬送物は押圧ローラによる押圧方向に逆行して連続して送り込まれるので、搬送経路の上流側には被搬送物の団子状態が必ず発生する。
【０００８】
又、特許文献２では、コンベヤによる被搬送物の擦過防止効果を得られるものの、係る装置も搬送中の被搬送物を押さえ付けてせき止める方式であるから、被搬送物が団子状態になる現象を好適に抑制することはできない。
【０００９】
よって、何れの装置も被搬送物のピッチ（通常、３０〜４０ｍｍ）が過度に詰まることによる不都合、例えば被搬送物の計数エラー、これによる押さえ付けタイミングのずれ、又は係る被搬送物の積層、結束不良といった問題を完全に解消することができない。
【００１０】
特に、従来装置は被搬送物の供給源である輪転機などの出口近傍に配されるセンサにより被搬送物の送出数を検出し、その信号に基づいて区分装置の動作制御を行うようにしているので、ピッチが３０〜４０ｍｍとされる被搬送物を所定数ずつ適正に区分するためのタイミング調整が難しく、動作タイミングのずれによって被搬送物が所定数ずつ正確に区分されない事態が多発するという問題を抱えている。
【００１１】
そして、区分するタイミングが早すぎた場合、バンドラで結束される一束の数に不足を生ずるので、これを回避するため被搬送物を区分するタイミングを遅めに調整し、一束の数量が規定数より多くなるようにしている事から、それだけ製品（被搬送物）を過剰に生産しなければならず、これに起因して生産コストが上がってしまうという問題があった。
【００１２】
本発明は以上のような事情に鑑みて成されたものであり、その目的は前後が重なり合った状態で搬送される被搬送物を所定数ずつ好適に区分できるようにすることにある。
【課題を解決するための手段】
【００１３】
本発明は上記目的を達成するため、搬送方向に並んで部分的に重なり合った状態の重合列とされる偏平な被搬送物を搬送するための搬送手段と、被搬送物の重合列に間隙を生じさせるための区分手段とを備えた搬送装置において、前記搬送手段は、被搬送物の搬送経路を形成する第１コンベヤと、該第１コンベヤから被搬送物を乗り移らせるための第２コンベヤとを有して成り、前記第１コンベヤ上には被搬送物の通過数を検出するための計数センサが配置され、前記区分手段は、前記計数センサの配置部分より下流側に待機されて前記計数センサの検出信号に基づく計数値が所定数に達した段階で第１コンベヤ上における被搬送物の部位を挟持して第２コンベヤ側に移動する挟持具を含み、その挟持具は上下方向に対向配置される上部押圧具と下部押圧具とで構成され、前記挟持具により挟持された被搬送物が第２コンベヤ上に達したとき、挟持具の移動速度と第２コンベヤの走行速度を同調させた状態で、第１コンベヤより第２コンベヤの走行速度が高くなるよう両者の走行速度を相違させる一方、前記挟持具から被搬送物が解放された後で搬送手段を通常運転モードに切り換えて第１コンベヤと第２コンベヤの走行速度を同調させるコンベヤ速度変更手段を備えることを特徴とする。
【００１４】
又、上記のような搬送装置において、通常運転モードにおける第１コンベヤと第２コンベヤの走行速度に応じて、挟持具の待機位置を調整する待機位置調整手段を備えることを特徴とする。
【００１５】
更に、上部押圧具に被搬送物の上面に吸着せしめるための昇降自在な吸着部を設けると共に、挟持具による被搬送物の解放動作に同期して行われる前記吸着部の上昇動作により第２コンベヤ上に浮上される被搬送物を引き取ってこれを所定箇所に搬出する取出コンベヤを前記第２コンベヤ上に配して構成されるサンプリング手段を備える事を特徴とする。
【発明の効果】
【００１６】
本発明の搬送装置によれば、第１コンベヤとその下流側に配される第２コンベヤとを有し、第１コンベヤ上には被搬送物の通過数を検出するための計数センサが配置されると共に、その配置部分より下流側に待機されて計数センサの検出信号に基づく計数値が所定数に達した段階で第１コンベヤ上における被搬送物の部位を挟持して第２コンベヤ側に移動する挟持具を含み、これにより挟持された被搬送物が第２コンベヤ上に達したとき、挟持具の移動速度と第２コンベヤの走行速度を同調させた状態で、第１コンベヤより第２コンベヤの走行速度が高くなるよう構成されることから、被搬送物を部分的に押え付けて停止させる従来方式のように、停止された被搬送物上に後続の被搬送物が順次乗り上がってピッチが詰まる現象を発生せず、被搬送物を搬送したままの状態で好適に区分することができる。
【００１７】
特に、本発明は輪転機などの出口付近における被搬送物の計数情報によって挟持具を作動させるのでなく、第１コンベヤ上に配置される計数センサの検出信号に基づいて挟持具が作動する構成としていることから、その作動タイミングにずれが生じ難く、このため計数センサにより所定数に達した被搬送物が検出された時、係る被搬送物を挟持具により確実に挟持して多数の被搬送物を所定数ずつ正確に区分することができる。
【００１８】
加えて、通常運転モードにおける第１コンベヤと第２コンベヤの走行速度に応じて、挟持具の待機位置を調整する待機位置調整手段を備えることから、輪転機などの機種によって通常運転モードでの第１コンベヤと第２コンベヤの走行速度が変更された場合でも、それに応じて挟持部の待機位置を自動的に調整（コンベヤ速度が高速になるに伴って挟持部の待機位置を下流側に移動）し、計数センサにより所定数に達した被搬送物が検出された時、それより後続の被搬送物を挟持してしまったり、又は先行する被搬送物を挟持してしまったりせず、所定の被搬送物を正確に挟持することができ、ひいては１ブロック（１区分）における被搬送物の数を厳密に管理できる。
【００１９】
更に、挟持具を構成する上部押圧具に上部押圧具に被搬送物の上面に吸着せしめるための昇降自在な吸着部を設けると共に、挟持具による被搬送物の解放動作に同期して行われる吸着部の上昇動作により第２コンベヤ上に浮上される被搬送物を引き取ってこれを所定箇所に搬出する取出コンベヤを第２コンベヤ上に配して構成されるサンプリング手段を備えることから、被搬送物を区分する毎に、区分された先行のブロックにおける末尾の被搬送物を検査用標本として容易に抜き出すことができる。
【発明を実施するための最良の形態】
【００２０】
以下、図面に基づいて本発明を詳しく説明する。図１は本発明に係る搬送装置を示した側面概略図である。図１において、１は被搬送物を搬送する搬送手段であり、この搬送手段１は一対のコンベヤ１Ａ，１Ｂを所定の間隔をあけて直列状に連ねて構成される。本例において、一方のコンベヤ１Ａ（第１コンベヤ）は前後一対のローラ２，３に無端の走行ベルト４を巻き掛けて構成され、他方のコンベヤ１Ｂ（第２コンベヤ）は前後一対のローラ５，６とテンションローラ７，８に無端の走行ベルト９を巻き掛けて構成される。
【００２１】
１０はコンベヤ１Ａを駆動させるための駆動源であり、そのロータ軸に取り付けたプーリ１１とローラ３の軸に取り付けたプーリ１２にはタイミングベルト１３が巻き掛けられる。又、１４はコンベヤ１Ｂを駆動させるための駆動源であり、そのロータ軸に取り付けたプーリ１５とローラ５の軸に取り付けたプーリ１６にはタイミングベルト１７が巻き掛けられる。
【００２２】
そして、それらコンベヤ１Ａ，１Ｂの上面は被搬送物を載せて搬送する段差のない搬送経路を形成し、被搬送物が上流側のコンベヤ１Ａから下流側のコンベヤ１Ｂに乗り移れるようにしてある。尚、タイミングベルト１３，１７に代えてチェーンを用いたり、その種の巻掛伝動方式に代えて歯車伝動方式や駆動源１０，１４の直結駆動方式を採用することもできる。又、コンベヤ１Ａ，１Ｂはベルトコンベヤに限らず、ローラコンベヤやチェーンコンベヤに代えることもできる。
【００２３】
又、図１において、１８は上流側のコンベヤ１Ａ上に設けた上部コンベヤであり、この上部コンベヤ１８は前後一対のローラ１９，２０にベルト２１を巻き掛けて構成される。２２は上部コンベヤの駆動源であり、そのロータ軸に取り付けたプーリ２３とローラ１９の軸に取り付けたプーリ２４にはタイミングベルト２５が巻き掛けられる。尚、係る上部コンベヤ１８は上下方向とコンベヤ１Ａの長さ方向とに移動可能とされ、コンベヤ１Ａに対向するベルト２１の下部はその駆動方向がコンベヤ１Ａによる被搬送物の搬送方向と合致し、被搬送物がコンベヤ１Ａと上部コンベヤ１８で挟まれながら下流側に搬送される構成としてある。
【００２４】
更に、コンベヤ１Ａ上には計数センサ２６が配置される。係る計数センサ２６は、コンベヤ１Ａのフレームなどに取り付けられ、コンベヤ１Ａからコンベヤ１Ｂに向かって搬送される被搬送物の通過数を検出するためのもので、これにはレーザカウンタを構成する半導体レーザなどのレーザセンサが好適に用いられるが、これに超音波センサやマイクロスイッチなどの接触式センサを用いて、その出力パルスを計数回路でカウントすることにより被搬送物を計数することもできる。
【００２５】
３０は、計数センサの検出信号に基づく計数値が所定数に達した段階でコンベヤ１Ａ上における被搬送物の部位を挟持してコンベヤ１Ｂ側に移動する挟持具であり、この挟持具３０はコンベヤ１Ａ，１Ｂ上における被搬送物を挟んで上下方向に対向配置される上部押圧具３１と下部押圧具３２とで構成される。そして、係る挟持具３０は、計数センサ２６及び上部コンベヤ１８の配置位置より下流であってコンベヤ１Ａの下流端より上流の位置に待機され、その待機位置から被搬送物の搬送方向（コンベヤ１Ａ，１Ｂの長さ方向）に沿って移動可能に設けられる。
【００２６】
尚、搬送中の被搬送物を検査用標本として抜き出すサンプリング手段として、上部押圧具３１には被搬送物の上面に吸着せしめるための昇降自在な吸着部３３が設けられると共に、コンベヤ１Ｂ上には吸着部３３の上昇動作によりコンベヤ１Ｂ上に浮上される被搬送物を引き取ってこれを所定箇所に搬出する取出コンベヤ３４が設けられる。
【００２７】
３５は挟持具をコンベヤ１Ａ，１Ｂの長さ方向に沿って往復移動させるベルト駆動式の送り装置であり、これは駆動ローラ３６と従動ローラ３７との間に駆動ベルト３８を巻き掛けて構成される。尚、３９は駆動ローラ３６を正逆に回転駆動するための駆動源である。
【００２８】
ここに、挟持具３０は、被搬送物を挟持しながら送り装置３５の駆動を以ってコンベヤ１Ｂ側に移動し、コンベヤ１Ｂ上で被搬送物を解放した後、送り装置３５の逆転駆動によりコンベヤ１Ａ上の待機位置に復帰されると共に、挟持具３０による被搬送物の解放動作に同期して吸着部３３の上昇動作が行われ、これによって吸着部３３に吸着された被搬送物がコンベヤ１Ｂ上に浮上されて取出コンベヤ３４に引き渡されるようになっている。
【００２９】
次に、図２から明らかなように、コンベヤ１Ａ，１Ｂは、それぞれ走行ベルト４，９を間を透かして４本並列状に張設することにより構成される。
【００３０】
コンベヤ１Ａの中央部には、２本の走行ベルト４，４の間に一定の隙間を形成する左右一対の仕切板４０が設けられ、その仕切板４０と左右の側板４１との間に、２分割された下流側のローラ２が架設されている。
【００３１】
又、コンベヤ１Ｂの中央部にも、２本の走行ベルト９，９の間に一定の隙間を形成する左右一対の仕切板４２が設けられ、その仕切板４２と左右の側板４１との間に、２分割された上流側のローラ６が架設されている。
【００３２】
更に、コンベヤ１Ａ，１Ｂを構成するフレームの側板４１には、コンベヤ１Ａ，１Ｂの長さ方向に沿う上記の上部コンベヤ１８と挟持具３０との移動案内を成すガイドレール４３が設けられる。尚、上部コンベヤ１８はガイドレール４３に沿って移動、位置決めされた後、固定される。
【００３３】
一方、図３から明らかなように、上部押圧具３１と下部押圧具３２は、それぞれシリンダ装置３１Ａ，３２Ａ（本例においてエアシリンダであるが、油圧シリンダや電磁ソレノイドでも可）と、その伸縮ロッドに固定される爪３１Ｂ，３２Ｂとを有して構成される。
【００３４】
そして、上部押圧具３１と下部押圧具３２は、搬送手段１（コンベヤ１Ａ，１Ｂ）の上下で可動枠４４に相対向して取り付けられ、それぞれシリンダ装置３１Ａ，３２Ａの駆動により爪３１Ｂ，３２Ｂが上下動するようになっている。
【００３５】
特に、上部押圧具におけるシリンダ装置３１Ａの伸縮ロッドには爪３１Ｂのほか、上記の吸着部３３が設けられ、下部押圧具３２は被搬送物Ｗを挟持するに際して爪３２Ｂが左右の仕切板４０で挟まれる隙間からコンベヤ１Ａ上に僅かに突出するようにしてある。
【００３６】
又、可動枠４４の両側には、ガイドレール４３に摺動自在に係合するスライド４５が取り付けられ、可動枠４４の下部には、図１に示した送り装置３５の駆動ベルト３８の一部が締結される。よって、駆動ベルト３８を正逆に駆動により、可動枠４４に取り付けられる上部押圧具３１と下部押圧具３２をコンベヤ１Ａ，１Ｂの長さ方向に同時に往復移動させることができる。尚、送り装置３５として流体圧シリンダを利用することもできる。
【００３７】
次に、図４は以上のような搬送装置の使用態様を示す。この図で明らかなように、被搬送物Ｗ（図示例では刷本であるが、鋼板などでもよい）は、コンベヤ１Ａ，１Ｂ上で搬送方向に並んで部分的に重なり合った状態の重合列として搬送される。
【００３８】
尚、コンベヤ１Ａの上流側には、例えば図示せぬ別のコンベヤを介して被搬送物の供給源である輪転機が設けられ、コンベヤ１Ｂの下流側には図示せぬスタッカバンドラが設けられる。又、コンベヤ１Ａ，１Ｂは通常、予め設定される同一の速度（通常運転モード)で走行される。
【００３９】
ここで、輪転機から供給される被搬送物Ｗがコンベヤ１Ａ上に達すると、これが計数センサ２６により検出され、その検出信号に基づく計数値が所定数に達した段階（計数センサ２６がその下方を通過した所定数の被搬送物Ｗを検出した時点、例えば１００番目の被搬送物Ｗｎを検出した時点）において、挟持具３０がコンベヤ１Ａからコンベヤ１Ｂに向かってコンベヤ１Ａ，１Ｂと同一速度で移動を開始し、これと同時に上部押圧具３１におけるシリンダ装置３１Ａの作動による爪３１Ｂの降下と、下部押圧具３２におけるシリンダ装置３２Ａの作動による爪３２Ｂの上昇が行われ、しかして図４(ａ)に示されるようコンベヤ１Ａ上で被搬送物Ｗが挟持具の爪３１Ｂ，３２Ｂにより挟持される。
【００４０】
尚、被搬送物Ｗは部分的に重なり合った重合列とされるため、挟持具３０により挟持される被搬送物は単一でなく、複数（図示例において１００番目の被搬送物Ｗｎとそれより下流の被搬送物Ｗｎ−１、Ｗｎ−２の３つ）となる。又、挟持具３０による被搬送物Ｗｎ，Ｗｎ−１，Ｗｎ−２の挟持に際し、上部押圧具３１に設けた吸着部３３（吸気式の吸盤）が被搬送物Ｗｎの後部側に重なる被搬送物Ｗｎ＋１の上面に吸着される。
【００４１】
そして、挟持具３０により挟持された被搬送物Ｗｎ，Ｗｎ−１，Ｗｎ−２がコンベヤ１Ａ上からコンベヤ１Ｂ上に達したとき（詳しくは挟持されたうちの最下流に位置する被搬送物Ｗｎ−２の下流端がコンベヤ１Ｂ上に差し掛かった時点）において、コンベヤ１Ａ，１Ｂの走行速度がコンベヤ速度変更手段により相違され、図５に示すタイミングチャートのように、挟持具３０の移動速度と第２コンベヤ１Ｂの走行速度が同一の同調状態とされる下に、コンベヤ１Ａに対してコンベヤ１Ｂの走行速度並びにこれに同調する挟持具３０の移動速度が高くされる。尚、挟持具３０により挟持された被搬送物がコンベヤ１Ｂ上に達したか否かは、通常運転モードにおけるコンベヤ１Ａ，１Ｂの走行速度に基づき、計数センサ２６で所定数の被搬送物が検出された時点からの経過時間を図示せぬタイマーで計時することにより判定することができる。因みに、コンベヤ１Ａ，１Ｂの走行速度の検出は、それらの駆動源１０，１４のロータ軸に速度センサとしてロータリエンコーダなどを取り付けるか、図示せぬ制御部から駆動源１０，１４に発信されるパルス数をカウントするなどして行われる。
【００４２】
しかして、コンベヤ１Ａ上の被搬送物が上部コンベヤ１８で押圧された状態の下、その下流で挟持具３０により挟持された被搬送物Ｗｎ，Ｗｎ−１，Ｗｎ−２が引き抜かれ、これにより重合列を成す複数の被搬送物は、図４(ｂ)に示されるようコンベヤ１Ａ，１Ｂとの間に間隙を生じて区分される。
【００４３】
尚、コンベヤ速度変更手段としては、図１に示した駆動源１０，１４にステッピングモータなどの可変速モータ（制御用モータ）を用い、これを図示せぬ制御部により駆動制御する構成とされる。特に、コンベヤ１Ａ，１Ｂに走行速度差を生じさせる方法として、コンベヤ１Ａを定常の運転状態（通常運転モード）に保ったままコンベヤ１Ｂを通常運転モードより高速（高速運転モード）で走行させたり、コンベヤ１Ｂを通常運転モードに保ったままコンベヤ１Ａを通常運転モードより低速（低速運転モード）で走行させるようにしてもよいが、本例ではコンベヤ１Ａを通常運手モードから低速運転モードに変換するのと同時に、コンベヤ１Ｂを通常運転モードから高速運転モードに変換するようにしている。
【００４４】
これによれば、コンベヤ１Ａ，１Ｂとの間で被搬送物の重合列に大きな間隙を生じせしめてスタッカバンドラによる結束を所定数ずつ確実に行うことができる。但し、コンベヤ１Ａを通常運転モードに保ったままコンベヤ１Ｂのみを高速運転モードに変換するようにしてもよく、この場合にはコンベヤ１Ａの上流部においても被搬送物のピッチが詰まって団子状態となる現象を全く発生しないという効果が得られる。
【００４５】
又、上部コンベヤ１８はその駆動源２２の制御によりコンベヤ１Ａの走行速度と同速度を保つよう速度制御され、コンベヤ１Ａの減速時において被搬送物が団子状態になる現象を抑制する効果を発揮するが、コンベヤ１Ａと上部コンベヤ１８の連動性をより確実なものとするために両者の駆動源１０，２２を共通化するようにしてもよい。但し、上部コンベヤ１８は省略することもできる。
【００４６】
一方、上記のようにして被搬送物が区分されると、コンベヤ１Ａ，１Ｂが通常運転モードに戻されて両者が同速の同調状態とされるほか、挟持具３０の移動が停止される直前に上部押圧具３１におけるシリンダ装置３１Ａの作動による爪３１Ｂの上昇と、下部押圧具３２におけるシリンダ装置３２Ａの作動による爪３２Ｂの下降とが行われ、これによって被搬送物Ｗｎ，Ｗｎ−１，Ｗｎ−２が挟持具３０から解放されるが、その解放動作に同期して吸着部３３の上昇動作が行われることにより、その吸着部３３に吸着されていた被搬送物Ｗｎ＋１がコンベヤ１Ｂ上に浮上される。
【００４７】
図６のように、コンベヤ１Ｂ上に浮上された被搬送物Ｗｎ＋１は、吸着部３３に吸着されたまま一端が上記取出コンベヤ３４の一端に臨められるようになっている。
【００４８】
係る取出コンベヤ３４は、原動コンベヤ５１と従動コンベヤ５２との間における摩擦力により両者が連動する構造のフリクション駆動方式で、原動コンベヤ５１はローラ５１Ａ，５１Ｂの間にベルト５１Ｃを巻き掛けてローラ５１Ｂが駆動源５３により回転駆動される構成であり、他方の従動コンベヤ５２は原動ローラ５１の片面側に接してローラ５２Ａ，５２Ｂ間にベルト５２Ｃを巻き掛けた構成とされる。
【００４９】
又、図６において、５４，５５は取出コンベヤ３４の上流端に近接して設けた上下一対のガイドローラ、５６はローラ５１Ａとガイドローラ５４との間に配した中継ローラ、５７はガイドローラ５５の軸を支点として上下に揺動するガイドアーム、５８はガイドアームに揺動運動を与えるためのアクチュエータ（本例においてエアシリンダ）である。
【００５０】
そして、吸着部３３に吸着された被搬送物Ｗｎ＋１が所定位置まで浮上されたとき、アクチュエータ５８の駆動によりガイドアーム５７が上方に揺動され、これにより被搬送物Ｗｎ＋１がガイドローラ５４，５５を間を通じて取出コンベヤ３４の一端まで案内された後、これが取出コンベヤ３４内（原動コンベヤ５１と従動コンベヤ５２との間）を通じてその上流端に配される図示せぬ回収トレイに搬出されるようになっている。
【００５１】
又、挟持具３０は、吸着部３３から取出コンベヤ３４に被搬送物Ｗｎ＋１が引き渡された後、コンベヤ１Ａ，１Ｂが通常運転モードで走行されている状態の下で、上記送り装置３５の逆転により待機位置まで復帰される。ここで、その待機位置は上記速度センサなどによる通常運転モードでのコンベヤ１Ａ，１Ｂの走行速度に応じて調整され、その走行速度に比例して待機位置が下流側に移動されるようにしている。
【００５２】
このような待機位置調整手段によれば、計数センサ２６の検出信号に基づく計数値が所定数に達した段階において、挟持具３０をコンベヤ１Ａ，１Ｂの走行速度まで加速して挟持動作を開始する前に、挟持すべき被搬送物が挟持具３０を追い越してしまったり、挟持すべき被搬送物が挟持具３０に遅れてしまうことがなく、係る挟持具３０により所定の位置で目的とする被搬送物を確実に挟持することができる。
【００５３】
以上、本発明について説明したが、係る搬送装置は製本工程や新聞製造工程などに限らず、重合列として搬送される被搬送物を搬送中に区分することが必要とされる種々の工程に好適に利用することができる。
【００５４】
又、上記例において、吸着部３３は、爪３１Ｂ，３２Ｂにより挟持される被搬送物より上流の被搬送物に吸着する構成としたが、係る吸着部３３を上部押圧具における爪３１Ｂの左右両側に配し、これにより爪３１Ｂ，３２Ｂで挟持される被搬送物の上面に吸着部３３が吸着する構成としてもよい。
【図面の簡単な説明】
【００５５】
【図１】本発明に係る搬送装置を示した側面概略図
【図２】第１コンベヤと第２コンベヤの平面概略図
【図３】挟持具の装置例を示した説明図
【図４】被搬送物が区分される状態を示した説明図
【図５】搬送手段と挟持具の動作状態を示すタイミングチャート
【図６】サンプリング手段を示す説明図
【符号の説明】
【００５６】
１  搬送手段
１Ａ  第１コンベヤ
１Ｂ  第２コンベヤ
１０  第１コンベヤの駆動源
１４  第２コンベヤの駆動源
２６  計数センサ
３０  挟持具
３１  上部押圧具
３２  下部押圧具
３３  吸着部
３４  取出コンベヤ
３５  挟持具の送り装置
【図１】
2006306572.tif 000003
【図２】
2006306572.tif 000004
【図３】
2006306572.tif 000005
【図４】
2006306572.tif 000006
【図５】
2006306572.tif 000007
【図６】
2006306572.tif 000008